(57)【要約】本発明は2，3，3，3-テトラフルオロプロペンを含む組成物の熱媒体流体、発泡剤、溶剤およびエーロゾルとしての使用に関するものである。本発明は特に、基本的に10〜90重量％の2，3，3，3-テトラフルオロプロペンと、5〜80重量％のHFC-134aと、5〜10重量％のHFC-32とを含む組成物に関するものである。【特許請求の範囲】
【請求項１】
基本的に10〜90重量％の2，3，3，3-テトラフルオロプロペンと、5〜80重量％のHFC-134aと、5〜10重量％のHFC-32とを含む組成物。
【請求項２】
基本的に10〜45重量％の2，3，3，3-テトラフルオロプロペンと、50〜80重量％のHFC-134aと、5〜10重量％のHFC-32とを含む組成物。
【請求項３】
安定化された請求項１〜３のいずれか一項に記載の組成物。
【請求項４】
請求項1〜３のいずれか一項に記載の組成物から成る熱伝達流体体体。
【請求項５】
圧縮冷却システム、好ましくは向流モードで運転される熱交換器を有する圧縮冷却システムで使用されると請求項４に記載の熱伝達流体体体。
【請求項６】
HFC-134aの代替として使用される請求項４または５に記載の熱伝達流体。
【請求項７】
6（それが滑剤の存在下で使われるという点を特徴とする）への請求項4のいかなる一つに記載もの熱伝達流体。
【請求項８】
請求項１〜３のいずれか一項に記載の組成物から成る発泡剤。
【請求項９】
請求項１〜３のいずれか一項に記載の組成物から成る溶剤。
【請求項１０】
請求項1〜３のいずれか一項に記載の組成物を含むエーロゾル。
【発明の詳細な説明】
【技術分野】
【０００１】
本発明は、本発明は2，3，3，3-テトラフルオロプロペンを含む組成物の熱媒体流体、発泡剤、溶剤およびエーロゾルとしての使用に関するものである。
【背景技術】
【０００２】
大気のオゾン層を枯渇させる物質に起因する問題（オゾン減損ポテンシャル（ＯＤＰ）がモントリオールで論議され、クロロフルオロカーボン（ＣＦＣ）の生産および使用を減らすことが合意され、このプロトコールの改正でＣＦＣの廃棄が決められ、ヒドロクロロフルオロカーボン（HCFC）を含む他の化合物への規制が広げられた。
【０００３】
冷凍および空調工業ではこれら冷媒の代替物に対する大きな投資がなされてきた。その結果、ハイドロフルオロカーボン（HFC）が市場に出た。また、発泡剤または溶剤として使われる（ハイドロ）クロロフルオロカーボンもHFCに置換された。
【０００４】
自動車の工業では多くの国において、市場に出される車両用空調システムがクロロフルオロカーボン冷媒（CFC-12）からオゾン層に有害でないハイドロフルオロカーボン（1,1,1,2-テトラフルオロエタン：HFC-134a）冷媒に変わった。しかし、このHFC-134a（ＧＷＰ =1300)は京都プロトコルの目標に対しては温室効果が高いとみなされる。温室効果に対する貢献度は、二酸化炭素を基準値１とした地球温暖化ポテンシャルＧＷＰ（温室効果を要約した判定基準）で定量化される。
【０００５】
二酸化炭素は毒性がなく、不燃性で、ＧＷＰが非常に低く、空調システムの冷媒としてHFC-134aの代替物として提案されたが、二酸化炭素の使用には既存の機器および技術での冷媒として使用するには多くの欠点、特に超高圧を必要とするという欠点がある。
【０００６】
特許文献１（国際特許第WO2004/037913号公報）には、３つまたは４つの炭素原子を有するフルオロプロペンを有する少なくとも一種のフルオロアルケン、特にペンタフルオロプロペンとテトラフルオロプロペンとを含む組成物、好ましくはＧＷＰが最大で150の組成物の熱熱伝達流体体体体としての使用が記載されている。
【０００７】
特許文献２（国際特許第WO 2005/105947号公報）には発泡剤、例えばジフルオロメタン、ペンタフルオロエタン、テトラフルオロエタン、ジフルオロエタン、ヘヌタフルオロプロパン、ヘキサフルオロプロパン、ペンタフルオロプロパン、ペンタフルオロブタン、水および二酸化炭素にテトラフルオロプロペン、好ましくは1,3,3,3-テトラフルオロプロペンを加えることが記載されている。
【０００８】
特許文献３（国際特許第WO2006/094303号公報）には、2,3,3,3-テトラフルオロプロペン（HF0-1234yf）とジフルオロメタン（HFC-32）および2,3,3,3-テトラフルオロ−プロピレンとジフルオロメタン（HFC-152a）の二元組成物が記載されている。
【０００９】
この文献には1,1,1,2,3-ペンタフルオロプロペン（HFO-1225ye）と、ジフルオロメタン、2，3，3，3-テトラフルオロプロペンおよびHFC-134aとを組み合わせた四元混合物も記載されている。しかし、1,1,1,2,3-ペンタフルオロプロペンには毒性がある。
【００１０】
特許文献３（国際特許第WO2006/094303号公報）には2，3，3，3-テトラフルオロプロペンを、イオドトリフルオロメタン（CF3I）、HFC-32およびHFC-134aとを組み合わせた四元混合物も記載されている。しかしCF3 IのODPはゼロではなく、安定性および腐食性に問題がある。
【先行技術文献】
【特許文献】
【００１１】
【特許文献１】国際特許第WO2004/037913号公報
【特許文献２】国際特許第WO 2005/105947号公報
【特許文献３】国際特許第WO2006/094303号公報
【発明の概要】
【課題を解決するための手段】
【００１２】
本発明者は、上記の欠点がなく、ＯＤＰがゼロで、ＧＷＰがHFC-134aのような既存の熱伝達流体より小さい2，3，3，3-テトラフルオロプロペン組成物を見出した。
【発明を実施するための形態】
【００１３】
熱伝達流体として使われる本発明の組成物はHFC-134aによって与えられる値に匹敵する値のコンプレッサ出口温度と圧力レベルを有し、圧縮比はそれ以下である。本発明組成物はコンプレッサの方法を変えずにHFC-134aを代替することができる。
【００１４】
熱伝達流体として使われる本発明組成物は、HFC-134aの容積キャパシティー（116〜133％の間）より大きい容積キャパシティーを有する。この性質によって本発明組成物はより小型のコンプレッサを使用でき、同じ加熱または冷却キャパシティーを有することができる。
【００１５】
本発明で使用する組成物は基本的に10〜90重量％の2，3，3，3-テトラフルオロプロペンと、5〜80重量％のHFC-134aと、5〜10重量％のHFC-32とを含む。
【００１６】
本発明組成物は基本的に10〜45重量％の2，3，3，3-テトラフルオロプロペンと、50〜80重量％のHFC-134aと、5〜10重量％のHFC-32とを含む。
【００１７】
本発明組成物は圧縮システム、好ましくは向流モードまたは向流傾向を有する交差流モードの熱交換器を有する圧縮システムで用いることができ、特に、コンプレッサの単位掃気体容積当たりの容積キャパシティが低い冷却システムに適している。
【００１８】
圧縮システムでは、冷媒と熱源との間の熱交換器換が熱伝達流体によって行われる。この熱伝達流体は気体状態（空調および直接膨張式冷凍機では空気）、液体状態（ヒートポンプでは水、グリコール水）または二相混合の状態にある。
【００１９】
熱伝達には下記のような種々の方式がある：
（１）二つの流体が平行に配置され、同じ方向に移動する：並流（アンチメソディック（antimethodic））モード、
（２）二つの流体が平行に配置され、逆方向に移動する：向流（メソディック（methodic））モード、
（３）二つの流体が直角に配置される交差流モード：この交差流モードは並流モードまたは向流モードの傾向にできる。
（４）二つの流体の一方が第２の流体が通る大径パイプ中でＵターンする。この形状は長さの半分が向流交換器で他の半分が並流交換器であるものと等価：ピンヘッドモード。
【００２０】
本発明組成物は固定空調およびヒートポンプでにおいてHFC-134aの代替として好ましく有利に使用できる。
【００２１】
本発明で使われる組成物は安定化できる。安定剤の量は組成物に対して最大で５重量％にするのが好ましい。
【００２２】
安定剤として特にニトロメタン、アスコルビン酸、テレフタル酸、トルトリアゾールまたはベンゾトリアゾールのようなアゾール、トコフェロールのようなフェノール化合物、ハイドロキノン、t- ブチルハイドロキノン、2,6-ジ-tert- ブチル-4-メチルフェノール、エポキシド（アルキル、必要に応じてフッ素化またはパーフッ素化またはアルケニルまたは芳香族）、例えばn-ブチルグリシジルエーテル、ヘキサンジオールジグリシジルエーテル、アリルグリシジルエーテル、ブチルフェニルグリシジルエーテル、亜リン酸エステル、ホスフェート、ホスホネート、チオールおよびラクトンが挙げられる。
【００２３】
熱伝達剤として使用される本発明組成物は潤滑剤、例えば鉱油、アルキルベンゼン、ポリアルキレン・グリコール、ポリオール・エステルおよびポリビニールエーテルの存在下で使うことができる。
【００２４】
本発明組成物は発泡剤、エアーゾルおよび溶剤としても使用できる。
【実施例】
【００２５】
実験部分
計算ツール
密度、エンタルピー、エントロピーおよび混合物の液体／蒸気平衡データはRK-Soave式を用いて計算した。この式を使用するには該当混合物中の各純粋化合物の性質に関する知識と、各二成分混合物に対する相互作用係数とが必要である。
【００２６】
各純粋化合物に必要なデータは以下の通りである：沸点、臨界温度および臨界圧力、沸点から臨界点までの温度を関数とする圧力曲線および温度を関数とする飽和液体および飽和蒸気の密度。
【００２７】
HFC-32、HFC-134a：
これらの化合物のデータは「ASHRAE Handbook 2005、第20章」に記載されており、また、Refrop（冷媒の性質を計算するためにNISTによって開発されたソフトウェア）から入手できる。
【００２８】
HFO-1234yf：
HFO-1234yfの温度-圧力曲線データは静的方法で測定できる。臨界温度および臨界圧力はSetaramから市販のC80カロリメータを使用して測定される。温度を関数とする飽和密度はパリのEcole des Mines研究所が開発した振動管デンシトメータ法を用いて測定される。
【００２９】
二元相互作用係数：
混合物中の各化合物の挙動を表すためにRK-Soave式では二元相互作用係数を使用する。この係数は液体−蒸気平衡の実験データの関数として計算される。液体／蒸気平衡の測定に使われる方法は静的セル分析法である。平衡セルはサファイヤ・チューブから成り、２つの電磁ROLSITMサンプラを備え、それをクライオスタット浴（HUBER HS40）中に没す。可変速度で回転駆動される磁気攪拌機を用いて平衡に達するように加速する。サンプルの解析はカサロメータ（TCD）を使用したガスクロマトグラフィ（HP5890シリーズII）で実行する。
【００３０】
HFC-32/HFO-1234yf、HFC-134a/HF0-1234yf：
HFC-32/HFO-1234yf二成分混合物の液体／蒸気平衡の測定は-10℃、30℃、70℃で下記の等温式で求める。HFC-134a /HFO-1234yf二成分混合物の液体／蒸気平衡の測定は２０℃で下記の等温式で求める。
【００３１】
HFC-32/HFC-134a：
HFC-134a/HFC-32二成分混合物の液体／蒸気平衡データはRefpropから入手にできる。この二元系の相互作用係数の計算には２つの等温式（-20℃と20℃）および２つの等圧曲線（１バールと25バール）を用いる。
【００３２】
圧縮システム
スクリュー圧縮機と膨張弁とを有する、向流凝縮器および蒸発器を備えた圧縮システムを考える。この圧縮システムを15℃の過熱および5℃の過冷却で運転する。二次流体と冷媒との間の最少温度差は約５℃とみなされる。
【００３３】
コンプレッサの等エントロピー効率は圧縮比に依存する。この効率は下記の式に従って計算する：
2013504644.tif 000002
【００３４】
スクリュー圧縮機の場合、等エントロピー効率の式（1）のａ、b、c、dおよびeの定数は「Handbook of air conditioning and refrigeration, page 11.52」に記載の標準データに従って計算される。
【００３５】
％ＣＡＰはHFC-134aの容積キャパシティに対する各化合物が与える容積キャパシティの比の百分比である。
【００３６】
成績係数（COP）はシステムに供給されたまたはシステムで消費された動力に対するシステムをよって供給される有効動力として定義される。
【００３７】
ローレンツ成績係数（COPLorenz）は基準の成績係数である。これは温度の関数で、各種流体のCOPを比較するのに使われる。このローレンツ成績係数は下記のように定義される（温度ＴはＫである）：
2013504644.tif 000003
【００３８】
空調および冷蔵の場合のローレンツCOPは以下の通りである：
2013504644.tif 000004
【００３９】
加熱の場合のローレンツCOPは以下の通りである：
2013504644.tif 000005
【００４０】
各組成物に対してローレンツ・サイクルの成績係数を対応温度の関数として計算する。％COP/COPLorenzは対応するローレンツサイクルのCOPに対するシステムのCOPの比である。
【００４１】
加熱モードでの結果
加熱モードでは、圧縮システムを蒸発器の冷媒入口温度の-5℃と、凝縮器の冷媒入口温度の50℃との間の温度で運転する。システムは45℃で熱を供給する。
【００４２】
加熱モード運転条件下での本発明組成物の性能を［表１］に示す。各組成物での各成分（HF0-1234yf、HFC-32、HFC-134a）の値は重量百分率で与えられる。
【００４３】
【表１】
2013504644.tif 000006
【００４４】
冷却モードおよび空調モードでの結果
冷却モードでは、圧縮システムを蒸発器の冷媒入口温度の-5℃と凝縮器の冷媒入口温度の50℃との間で運転する。システムは0℃で冷気を出す。
冷却運転条件下の本発明組成物の性能を［表２］に示す。各組成物の各成分（HF0-1234yf、HFC-32、HFC-134a）の値は重量百分率で与えられる。
【００４５】
【表２】
2013504644.tif 000007
【国際調査報告】
2013504644.tif 000008
2013504644.tif 000009
2013504644.tif 000010
2013504644.tif 000011
2013504644.tif 000012
2013504644.tif 000013